(57)【要約】【課題】簡単な構成で、静電気による表示装置の故障を抑制する。【解決手段】機器本体１の背面に設けられる液晶保護窓５によって、液晶表示装置４０の表面が覆われ、傷やごみ等の異物から保護される。液晶保護窓５の前面において、液晶パネル４３の表示エリア４２でない縁部の領域（非表示領域）に対向する領域に導電性塗料１３が塗布される。導電性の両面テープ１２Ａによって液晶表示装置４０の偏光板４４と液晶保護窓５とが接着される。外装カバー１４の凹部１４ａに、液晶保護窓５の縁部が導電性の両面テープ１２Ｂで貼り付けられる。従って、導電性塗料１３は、両面テープ１２Ａ、１２Ｂと共に、液晶表示装置４０と液晶保護窓５との間、及び、液晶保護窓５と外装カバー１４との間に挟まれるように介在し、液晶表示装置４０と外装カバー１４とを電気的に接続する。【選択図】図３
2012198483.tif 000002
【特許請求の範囲】
【請求項１】
表示装置と、
前記表示装置の表面を覆って保護する窓部材と、
前記窓部材が固定される外装カバーと、
導電性を有し、前記表示装置と前記窓部材との間、及び、前記窓部材と前記外装カバーとの間に挟まれるように介在して、前記表示装置と前記外装カバーとを電気的に接続するためのシート材とを有することを特徴とする電子機器。
【請求項２】
前記シート材は、前記窓部材に塗布された導電性塗料で成ることを特徴とする請求項１記載の電子機器。
【請求項３】
前記窓部材のうち前記導電性塗料が塗布された部分を前記表示装置と前記外装カバーとに接着する導電性を有した接着部材をさらに有する請求項２記載の電子機器。
【請求項４】
前記シート材は、前記表示装置と前記窓部材とを接着すると共に、前記窓部材と前記外装カバーとを接着するための、導電性を有した接着部材で成ることを特徴とする請求項１記載の電子機器。
【請求項５】
前記シート材は、遮光性を有すると共に、前記表示装置のうち表示領域でない領域を覆うように設けられることを特徴とする請求項１〜４のいずれか１項に記載の電子機器。
【請求項６】
前記外装カバーには、導電性を低下させるための表面処理が施され、且つ、前記外装カバーのうち前記窓部材との接触面の少なくとも一部においては前記表面処理が施されていないことを特徴とする請求項１〜５のいずれか１項に記載の電子機器。
【発明の詳細な説明】
【技術分野】
【０００１】
本発明は、表示装置を有する電子機器に関する。
【背景技術】
【０００２】
従来、表示装置を有する撮像装置等の電子機器が知られている。撮像素子から出力される画像信号・画像情報等をデータファイルとして記録する電子撮像装置のような電子機器において、表示装置として液晶表示装置が搭載されるものが広く知られている。
【０００３】
撮像装置の液晶表示装置としては、一般に高精彩の画像表示が好まれ、そのため黒の方向にダイナミックレンジを伸ばした、ノーマルブラック液晶が用いられる。ノーマルブラックの高精彩液晶は、液晶のわずかな歪の差で黒の方向に伸びたダイナミックレンジをカバーしている。そのため、表示部に静電気が乗った場合、静電気の作用で液晶に部分的な歪が加わり、静電気の乗った部分に濃淡や色ムラ等の、もやもやとした影を生じることがある。
【０００４】
また、撮像装置等に備えられている液晶パネルは、外部からの静電気の影響により静電破壊する可能性がある。そのため、静電防止用のアースラインが確保されている必要がある。
【０００５】
例えば、下記特許文献１の技術においては、液晶表示装置を保持する金属フレームに導通部材としての突起を設け、金属フレームと窓部材の金属箔とを上記突起で電気的に接続している。それにより、液晶表示画面近傍に発生した静電気が液晶ディスプレイモジュールを流れずに接地される。
【先行技術文献】
【特許文献】
【０００６】
【特許文献１】特開２００６−１３５８４２号公報
【発明の概要】
【発明が解決しようとする課題】
【０００７】
しかしながら、上記特許文献１においては、静電対策のために、液晶表示装置を保持するための金属フレームを用いなければならず、部品点数が多くなり、構成も複雑化し、スペースもかさむという問題がある。
【０００８】
本発明は上記従来技術の問題を解決するためになされたものであり、その目的は、簡単な構成で、静電気による表示装置の故障を抑制することにある。
【課題を解決するための手段】
【０００９】
上記目的を達成するために本発明の電子機器は、表示装置と、前記表示装置の表面を覆って保護する窓部材と、前記窓部材が固定される外装カバーと、導電性を有し、前記表示装置と前記窓部材との間、及び、前記窓部材と前記外装カバーとの間に挟まれるように介在して、前記表示装置と前記外装カバーとを電気的に接続するためのシート材とを有することを特徴とする。
【発明の効果】
【００１０】
本発明によれば、簡単な構成で、静電気による表示装置の故障を抑制することができる。
【図面の簡単な説明】
【００１１】
【図１】本発明の第１の実施の形態に係る電子機器の斜視図である。
【図２】図１（ｂ）のＡ−Ａ線に沿う断面図、液晶保護窓を機器本体の前側から見た図である。
【図３】機器本体１の部分水平断面図である。
【図４】本発明の第２の実施の形態に係る電子機器の機器本体の部分水平断面図である。
【発明を実施するための形態】
【００１２】
以下、本発明の実施の形態を図面を参照して説明する。
【００１３】
（第１の実施の形態）
図１（ａ）、（ｂ）は、本発明の第１の実施の形態に係る電子機器の斜視図である。本電子機器として、デジタルカメラである撮像装置を例示する。
【００１４】
この撮像装置は、導電性の外装カバー１４で全体が覆われた機器本体１を有する。機器本体１には、撮影を可能とする部材、例えば、光学像を光電変換して画像デ−タを生成するＣＣＤやＣＭＯＳイメ−ジセンサ等の撮像素子が回路基板に実装される（いずれも図示せず）。機器本体１の背面に窓部材である液晶保護窓５が設けられ、機器本体１の被写体側である前面には、被写体像を撮像素子に結像させる沈動式の光学系撮影レンズ鏡筒２が配設固定されている。
【００１５】
機器本体１の上部にはシャッタボタン６が配設される。シャッタボタン６は、２段階の押圧操作が識別可能となっている。シャッタボタン６を半押し操作（１段階の押圧操作）すると、撮影準備動作（測光動作や測距動作等）が開始され、全押し操作（２段階の押圧操作）すると、被写体が撮像され、記録媒体（不図示）に被写体像の画像デ−タが記録される。
【００１６】
以降、機器本体１の前後方向については、液晶保護窓５がある側が後側、上下方向については、シャッタボタン６がある側が上側とする。左右方向については、液晶保護窓５の側に居る使用者から見て呼称する。
【００１７】
機器本体１の前面の左上部には、撮影時において自然光の光量が足りない時等に必要に応じて発光するストロボの発光窓３が設けられている。機器本体１の底面には、蓋部材７が配設される。蓋部材７は、電源となる主電池（使い切り式一次電池のほかに充電式電池も含む）及び信号処理された被写体像が記録される記録媒体（いずれも不図示）を収納する収納室を開閉可能とし、蓋部材７を開くことにより、主電池等、各々の挿脱が可能になる。
【００１８】
機器本体１の右面には、ストラップ取り付けリング８、電源・信号の入出力用ジャックの保護用のカバー部材９が配設される。カバー部材９を開状態とすると、電源・信号の入出力用ジャックと各種ケーブル類（図示せず）の抜き差しが可能となる。
【００１９】
また、機器本体１には、主基板と補助基板の２枚の大型基板を備えている（図示せず）。例えば主基板には、カードＩ／Ｆ等を含む記録媒体スロットや撮像部、画像処理部、システム制御部、ＬＣＤ表示部、シリアルＩ／Ｆ、シリアル接続端子等が実装されている。また補助基板には、電源供給切換回路、ＤＣ／ＤＣコンバータ、操作スイッチ、ビデオＩ／Ｆ、ビデオ接続端子、外部電源入力端子等が実装されている。
【００２０】
図２（ａ）は、図１（ｂ）のＡ−Ａ線に沿う断面図である。図２（ｂ）は、液晶保護窓５を機器本体１の前側から見た図である。図３（ａ）は、機器本体１の部分水平断面図であり、図２（ａ）のＦ部分の拡大図である。
【００２１】
図２（ａ）に示すように、機器本体１の背面側部分で液晶保護窓５の前側に液晶表示装置４０が配設される。液晶表示装置４０は、撮像する被写体像の確認や、撮像された画像の再生表示に用いられる。撮像装置において背面側（外側）に露出するのは液晶保護窓５であり、液晶保護窓５によって、液晶表示装置４０はその後面である表面が覆われ、傷やごみ等の異物から保護される。液晶保護窓５は、強化ガラスやアクリル樹脂等の材質で構成されるが、耐擦り傷性、低反射、撥水性等を向上させるべく表面コートをかけても良い。
【００２２】
図３（ａ）に示すように、液晶表示装置４０は、機器本体１の前側から順に、バックライト（液晶照明装置）４１、液晶パネル４３、偏光板４４が積層配置されてなる。偏光板４４は、導電性を有し、液晶パネル４３の後面に貼られている。液晶パネル４３は透明樹脂４５により液晶保護窓５と接着されている。機器本体１にシャーシ１５が固定され、液晶表示装置４０のバックライト４１がシャーシ１５に固定される。
【００２３】
液晶保護窓５は矩形であり（図２（ｂ）参照）、四方において液晶パネル４３より大きい。液晶パネル４３の矩形の領域うち、縁部の領域を除く内側領域が、画面表示がなされる表示エリア（表示領域）４２となっている（図２（ｂ））。そして、液晶保護窓５の前面には導電性塗料１３が塗布されている。導電性塗料１３は、表示エリア４２でない縁部の領域、すなわち非表示領域に対向する液晶保護窓５の領域に塗布されている（図２（ｂ）、図３）。従って、導電性塗料１３は、機器本体１の正面視において、ロ字状に塗布される。塗布の態様は印刷等によってもよい。
【００２４】
液晶パネル４３と導電性塗料１３とを電気的に接続させるため、導電性塗料１３を介して、導電性の両面テープ１２Ａによって偏光板４４と液晶保護窓５とが接着される。両面テープ１２Ａは、導電性塗料１３が塗布されている範囲内に配設され、特に、導電性塗料１３がなす環状形状の内側寄りの領域の全周にロ字状に貼られる。ただし、両面テープ１２Ａは、少なくとも一箇所において導電性塗料１３と接触していればよいので、全周に設ける必要はない。
【００２５】
図３（ａ）に示すように、外装カバー１４には、液晶保護窓５が嵌まる凹部１４ａが全周に亘り設けられている。この凹部１４ａに、液晶保護窓５の周縁部の前面が導電性の両面テープ１２Ｂで貼り付けられる。特に、両面テープ１２Ｂは、導電性塗料１３がなす環状形状の外側寄りの領域の全周にロ字状に貼られる。ただし、両面テープ１２Ｂは、少なくとも一箇所において導電性塗料１３と接触していればよいので、凹部１４ａの全周を覆う必要はない。
【００２６】
このように、液晶保護窓５は、両面テープ１２Ａを介して液晶表示装置４０と物理的に結合されると共に、両面テープ１２Ｂを介して外装カバー１４と物理的に結合される。従って、液晶パネル４３を含む液晶表示装置４０、液晶保護窓５及び外装カバー１４がユニット化される。
【００２７】
このように液晶表示装置４０をユニット化した後、シャーシ１５にバックライト４１を組み付けることで、液晶表示装置４０を機器本体１に固定する。また、シャーシ１５と外装カバー１４との間に補強部材１６を固定し、外装カバー１４を支えるようにする。液晶保護窓５に外部からの力が加わった場合に、補強部材１６が外装カバー１４と液晶保護窓５を保護するので、液晶パネル４３にかかる物理的負荷を減らすことができる。補強部材１６は、外部からの力を受けることから、液晶表示装置４０の周囲を全て囲うような形状としてもよい。
【００２８】
導電性塗料１３は、両面テープ１２Ａ、１２Ｂと共に、液晶表示装置４０と液晶保護窓５との間、及び、液晶保護窓５と外装カバー１４との間に挟まれるように介在する。導電性塗料１３、両面テープ１２Ａ、１２Ｂはいずれも導電性を有するので、液晶表示装置４０と外装カバー１４とを電気的に接続することになる。
【００２９】
すなわち、液晶表示装置４０の液晶パネル４３に帯電した外部からの静電気は、両面テープ１２Ａ及び導電性塗料１３を介して液晶保護窓５に流れ、さらに導電性塗料１３及び両面テープ１２Ｂを介して外装カバー１４に流れる。このように、液晶表示装置４０の電荷を液晶保護窓５乃至導電性塗料１３を介して外装カバー１４へ逃がし、液晶表示装置４０の静電破壊を防止する。特に、導電性塗料１３や両面テープ１２Ａ、１２Ｂはシート状乃至膜状で薄く、金属部品のような導通のための部品を設けることに比べて、機器本体１の厚み方向のスペースを要しない。ベゼル部材等の導通確保のための部品が不要なので、部品点数の増加に繋がることもない。
【００３０】
ところで、導電性塗料１３は遮光性を有し、液晶表示装置４０の表示エリア４２でない非表示領域を透過してくる光を遮光することができ、視認性向上につながる。また、導電性塗料１３により、液晶表示装置４０等の機器本体１の内部が見えなくなるため、見栄えを良くすることができる。ただし、導電性塗料１３は、非表示領域の全領域を覆うことは必須でない。
【００３１】
外装カバー１４は上記のように導電性があるが、導電性を低下させるための表面処理として、塗装やアルマイト処理が施されている。しかし、外装カバー１４は、液晶保護窓５との接触面の少なくとも一部においてアルマイト処理が施されておらず、その部分の導電性が確保されている。導電性を低下させるための表面処理の種類は限定されない。
【００３２】
本実施の形態によれば、液晶表示装置４０と液晶保護窓５との間、及び、液晶保護窓５と外装カバー１４との間に挟まれるように介在する導電性塗料１３によって、液晶表示装置４０と外装カバー１４との電気的な接続が確保される。これにより、簡単な構成で、静電気による液晶表示装置４０の故障を抑制することができる。
【００３３】
また、液晶表示装置４０は液晶保護窓５と外装カバー１４と共にユニット化されるため、機器本体１との組付けが容易となる。また、液晶表示装置４０の組み付けにおいて特にビスを用いる必要がない。これらから、液晶へのストレス（応力）を減らすことができる。
【００３４】
ところで、図３（ｂ）に、図３（ａ）に相当する断面図を示すように、液晶パネル４３には、偏光板４４の代わりにグランド（ＧＮＤ）用電極４６が設けられる場合もある。このような場合、グランド用電極４６と液晶保護窓５に塗布された導電性塗料１３とを両面テープ１２Ａで接着し、液晶保護窓５と液晶表示装置４０とを電気的に接続させればよい。
【００３５】
（第２の実施の形態）
図４（ａ）は、本発明の第２の実施の形態に係る電子機器の機器本体の部分水平断面図であり、図３（ａ）に対応している。
【００３６】
本発明の第２の実施の形態では、第１の実施の形態に対して、導電性塗料１３及び両面テープ１２Ａ、１２Ｂに代えて両面テープ１２Ｃを設けた点が異なる。その他の構成は同様である。
【００３７】
図４（ａ）に示すように、液晶保護窓５の前面には導電性の両面テープ１２Ｃが設けられる。両面テープ１２Ｃは、表示エリア４２でない縁部の領域、すなわち非表示領域に対向する液晶保護窓５の領域に貼られており、その領域は第１の実施の形態における導電性塗料１３の塗布領域と同じである。従って、両面テープ１２Ｃの一部は外装カバー１４の凹部１４ａに貼られている。
【００３８】
これらにより、両面テープ１２Ｃは、液晶保護窓５と偏光板４４とを接着すると共に、液晶保護窓５と外装カバー１４とを接着する。液晶パネル４３に帯電した静電気は両面テープ１２Ｃ乃至液晶保護窓５を介して、外装カバー１４に接続される。また、両面テープ１２Ｃは遮光性を有し、特に、黒色である方がよい。両面テープ１２Ｃは、導電性塗料１３と同様に、液晶表示装置４０の表示エリア４２でない非表示領域を透過してくる光を遮光することができる。ただし、両面テープ１２Ｃは、非表示領域の全領域を覆うことは必須でない。
【００３９】
本実施の形態によれば、両面テープ１２Ｃが、液晶表示装置４０と液晶保護窓５との間、及び、液晶保護窓５と外装カバー１４との間に挟まれるように介在し、液晶表示装置４０と外装カバー１４との電気的な接続が確保される。よって、簡単な構成で、静電気による液晶表示装置４０の故障を抑制すること、及び、液晶表示装置４０の視認性向上、見栄えの向上に関し、第１の実施の形態と同様の効果を奏することができる。
【００４０】
ところで、図４（ｂ）に、図４（ａ）に相当する断面図を示すように、液晶パネル４３には、偏光板４４の代わりにグランド用電極４６が設けられる場合もある。このような場合、グランド用電極４６と液晶保護窓５とを両面テープ１２Ｃで接着し、液晶保護窓５と液晶表示装置４０とを電気的に接続させればよい。
【００４１】
なお、第１の実施の形態において、両面テープ１２Ａと両面テープ１２Ｂとは別体としたが、両面テープ１２Ｃのように一体の一枚のテープとしてもよい。
【００４２】
上記各実施の形態において、導電性のある接着部材として両面テープ１２Ａ、１２Ｂ、１２Ｃを例示したが、これらに限るものではなく、光学弾性樹脂等の他の部材を用いてもよい。
【００４３】
上記各実施の形態において、液晶表示装置４０と外装カバー１４とを電気的に接続する役割を果たすものとして、導電性塗料１３及び両面テープ１２Ｃを例示した。しかし、機器の省スペースを図る観点から、上記の役割を果たすものとしては、上記の例示に限定されない。すなわち、導電性を有し、液晶表示装置４０と液晶保護窓５との間、及び、液晶保護窓５と外装カバー１４との間に挟まれるように介在して、液晶表示装置４０と外装カバー１４とを電気的に接続するシート材であればよい。
【００４４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述した実施形態においては、本発明をデジタルカメラに適用した場合を例にして説明したが、これはこの例に限定されない。例えば、ＰＤＡ、携帯電話端末や携帯型の画像ビューワ、ディスプレイを備えるプリンタ装置、デジタルフォトフレーム、音楽プレーヤ、ゲーム機、電子ブックリーダ等、表示装置を備える各種の電子機器に適用可能である。
【符号の説明】
【００４５】
５  液晶保護窓
１３  導電性塗料
１４  外装カバー
１２Ａ、１２Ｂ、１２Ｃ  両面テープ
４０  液晶表示装置
４２  表示エリア
【図１】
2012198483.tif 000003
【図２】
2012198483.tif 000004
【図３】
2012198483.tif 000005
【図４】
2012198483.tif 000006